(57)【要約】      （修正有）【課題】布団と襟カバーのずれを防止するとともに襟カバーのサイズの微調整を可能とし、かつ寝心地の良い寝具を提供する。【解決手段】布団１０と、襟カバー２０と、布団及び襟カバーを留める１以上の留め具３０を備える寝具であって、留め具は、スナップボタンであり、スナップボタンのオス３１及びメス３２は、布団と襟カバーのそれぞれに取り付けられ、襟カバーの幅が調節可能となるよう襟カバーの入り口側２２かつ幅方向と平行に調整器具４０（面ファスナーのオス４２とメス４１）が襟カバー表面又は裏面上にさらに設けられている。【選択図】図１
0003218157.tif 000002
【実用新案登録請求の範囲】
【請求項１】
布団と、襟カバーと、該布団及び該襟カバーを留める１以上の留め具を備える寝具であって、
前記留め具は、スナップボタンであって、
前記スナップボタンを構成する該スナップボタンのオス及びメスは、前記布団と前記襟カバーが留められるよう、該布団と該襟カバーのそれぞれに取り付けられ、
前記襟カバーの幅が調節可能となるよう該襟カバーの入り口側かつ幅方向と平行に調整器具が前記襟カバー表面又は裏面上にさらに設けられていることを特徴とする寝具。
【請求項２】
前記調整器具は、オス及びメスからなるマジックテープ（登録商標）であり、
前記襟カバー表面又は裏面に設けられた前記オス及びメスの表面が外向きに取り付けられていることを特徴とする請求項１に記載の寝具。
【請求項３】
前記調整器具は、前記襟カバーの入り口側かつ長手方向の両端部のそれぞれに設けられていることを特徴とする請求項１又は２に記載の寝具。
【請求項４】
前記オスの長さが１〜３ｃｍ、前記メスの長さが５〜１６ｃｍであることを特徴とする請求項２又は３に記載の寝具。
【請求項５】
前記調整器具は、さらに前記襟カバーの前記布団の側面に相当する位置に設けられていることを特徴とする請求項１〜４の何れか１項に記載の寝具。
【請求項６】
前記襟カバーの幅は、前記布団の幅よりも５〜１０ｃｍ大きいことを特徴とする請求項１〜５の何れか１項に記載の寝具。
【考案の詳細な説明】
【技術分野】
【０００１】
本考案は、布団と、襟カバーと、該布団及び該襟カバーを留める１以上の留め具を備える寝具に関する。
【背景技術】
【０００２】
布団の襟は特に汚れるため、従来より布団に襟カバーを取り付けたりする。当該襟カバーを布団に取り付け使用すると、寝ている間に襟カバーが布団から外れたり、付け替えに手間がかかるので、襟カバーと布団をボタンで留める。
【０００３】
例えば特許文献１では、布団の汚れや襟カバー簡単に脱着を可能とするために、紐やボタン、ファスナー等で襟カバーと布団を留めている。
【先行技術文献】
【特許文献】
【０００４】
【特許文献１】登録実用新案第３０３１７４０号公報
【考案の概要】
【考案が解決しようとする課題】
【０００５】
しかしながら、布団のサイズに対し襟カバーのサイズが大きい場合がほとんであり、従来からの方法では、布団と襟カバーのサイズの微調整ができず、それらのフィッティングが不十分であった。また、布団の厚みによっても布団と襟カバーのフィッティングが変わる。さらに、ボタンは襟カバーの外にむき出しになっており、またファスナーは金属であり硬度なため、肌に触れた時に違和感をあたえ、寝心地に影響を与える。
【０００６】
そこで、本考案は布団と襟カバーのずれを防止するとともにそれらのサイズの微調整を可能とし、かつ寝心地の良い寝具を提供することを目的とする。
【課題を解決するための手段】
【０００７】
本考案の一態様に係る寝具は、布団と、襟カバーと、該布団及び該襟カバーを留める１以上の留め具を備える寝具であって、前記留め具は、スナップボタンであって、前記スナップボタンを構成する該スナップボタンのオス及びメスは、前記布団と前記襟カバーが留められるよう、該布団と該襟カバーのそれぞれに取り付けられ、前記襟カバーの幅が調節可能となるよう該襟カバーの入り口側かつ幅方向と平行に調整器具が前記襟カバー表面又は裏面上にさらに設けられていることを特徴とする。
【０００８】
このようにすれば、布団と襟カバーのずれを防止するとともにそれらのサイズの微調整を可能とし、かつ寝心地の良い寝具を提供することができる。
【０００９】
このとき、本考案の一態様では、前記調整器具は、オス及びメスからなるマジックテープ（登録商標）であり、前記襟カバー表面又は裏面上に設けられた前記オス及びメスの表面が外向きに取り付けられているとしても良い。
【００１０】
このようにすれば、さらに容易に布団と襟カバーのサイズの微調整を可能とし、かつ寝心地の良い寝具を提供することができる。
【００１１】
また、本考案の一態様では、前記調整器具は、前記襟カバーの入り口側かつ長手方向の両端部のそれぞれに設けられても良い。
【００１２】
このようにすれば、布団と襟カバーのサイズのさらなる微調整を可能とすることができる。
【００１３】
また、本考案の一態様では、前記オスの長さが１〜３ｃｍ、前記メスの長さが５〜１６ｃｍとしても良い。
【００１４】
このようにすれば、５〜１６ｃｍの幅広い範囲で布団と襟カバーのサイズの調整が可能となる。
【００１５】
また、本考案の一態様では、前記調整器具は、さらに前記襟カバーの前記布団の側面に相当する位置に設けられても良い。
【００１６】
このようにすれば、布団の厚みが変わっても、布団と襟カバーのさらなる微調整を可能とすることができる。
【００１７】
また、本考案の一態様では、前記襟カバーの幅は、前記布団の幅よりも５〜１０ｃｍ大きいこととしても良い。
【００１８】
このようにすれば、布団と襟カバーのサイズが上記のように異なっても、それらの微調整を可能とすることができる。
【考案の効果】
【００１９】
以上説明したように本考案によれば、布団と襟カバーのずれを防止するとともにそれらのサイズの微調整を可能とし、かつ寝心地の良い寝具を提供することができる。
【図面の簡単な説明】
【００２０】
【図１】図１は、本考案の一実施形態に係る寝具の概略図である。
【図２】図２は、調整器具を用いて襟カバーの幅を調整する様子を説明する斜視図である。
【図３】図３は、本考案の一実施形態に係る寝具の斜視図であり、図３（Ａ）は襟カバーを入口側から見た図であり、図３（Ｂ）は布団を足元側から見た図である。
【考案を実施するための形態】
【００２１】
以下、図面を参照して、本考案の好適な実施の形態について詳細に説明する。なお、以下に説明する本実施形態は、実用新案登録請求の範囲に記載された本考案の内容を不当に限定するものではなく、本実施形態で説明される構成の全てが本考案の解決手段として必須であるとは限らない。
【００２２】
図１に示すように、本考案の一実施形態に係る寝具１００は、布団１０と、襟カバー２０と、該布団１０及び該襟カバー２０を留める１以上の留め具３０を備える。そして、上記留め具３０は、スナップボタン３０であって、上記スナップボタン３０を構成する当該スナップボタン３０のオス３１及びメス３２は、上記布団１０と上記襟カバー２０が留められるよう、当該布団１０と該襟カバー２０のそれぞれに取り付けられ、上記襟カバー２０の幅ｗ１が調節可能となるよう当該襟カバーの入り口側２２かつ幅方向と平行に調整器具４０が上記襟カバー２０表面又は裏面上にさらに設けられていることを特徴とする。以下詳細に説明する。
【００２３】
留め具３０はスナップボタンの代わりに通常のボタンやファスナーを用いることも考えられるが、上述したように、ボタンは襟カバーの外にむき出しになっており、またファスナーは金属であり硬度なため、肌に触れた時に違和感をあたえ、寝心地に影響を与える。
【００２４】
そこで、本考案の一実施形態に係る寝具１００は、スナップボタンを用いる。そして、上記スナップボタン３０を構成する当該スナップボタン３０のオス３１及びメス３２は、上記布団１０と上記襟カバー２０が留められるよう、当該布団１０と該襟カバー２０のそれぞれに取り付けられる。詳細は後述する。
【００２５】
また、上記襟カバー２０の幅ｗ１が調節可能となるよう当該襟カバーの入り口側２２かつ幅方向と平行に調整器具４０が上記襟カバー２０上にさらに設けられているが、上記調整器具４０は、オス及びメスからなるマジックテープ（登録商標）であり、かつ上記襟カバー表面又は裏面上に設けられた上記オス及びメスの表面が外向きに取り付けられていることが好ましい。つまり、オス及びメスの表面（カギ状の面又はループ状の面）が襟カバー上に接しないように取り付けられ、オス及びメスの裏面が襟カバー上に接するように取り付けられる。このようにすれば、さらに容易に布団１０と襟カバー２０のサイズの微調整を可能とし、かつ寝心地の良い寝具を提供することができる。
【００２６】
ここで本明細書中では、マジックテープのオスを単にオス、マジックテープのメスを単にメスという。また、オス及びメスの表面とは、マジックテープの先端がカギ状又はループ状になっている面をいい、オスとは、先端がカギ状になっている方をいい、メスとはループ状になっている方をいう。
【００２７】
本考案の一実施形態に係る寝具１００は、図１に示すように、オス４２及びメス４１が襟カバー２０の幅ｗ１方向と平行になるように襟カバー２０表面又は裏面上に取り付けられ、襟カバー上にオス４２及びメス４１の表面が外向きに取り付けられる。この場合、図２に示すようにオス４２及びメス４１とが取り付けられ、つまりメス４１の表面に接しない面４２ｂの面を襟カバー２０上に取り付ける。そして図２に示すように襟カバー２０を折り返して襟カバーの幅を調整する。また、オス４２及びメス４１が襟カバー２０の幅ｗ１方向とそれぞれが平行ではなく、例えばオス４２又はメス４１の一方を襟カバー２０の幅ｗ１方向と平行に取り付けてもよい。
【００２８】
また、オス４２とメス４１との間の距離は、１〜３ｃｍ、３〜５ｃｍ、５〜１０ｃｍとすることが好ましい。１０ｃｍ以上とすることも可能である。オス４２とメス４１の距離を調節することによっても、襟カバー２０の幅を調節できる。
【００２９】
また、オス４２及びメス４１の幅は同じでもよいし、図２のようにオス４２の方を幅広にしても良い。
【００３０】
また、調整器具４０は、襟カバー２０の表面又は裏面上に設けられているが、襟カバー２０の裏面上に設けられていることが好ましい。そうすることで、調整器具４０が襟カバー２０と布団１０との間に挟まれるので、調整器具４０が肌に触れる機会がなく、不快感を与えない。
【００３１】
図３（Ａ）（Ｂ）を用いて本考案の一実施形態に係る寝具について詳細に説明する。図３（Ａ）に示すように、襟カバー２０上にマジックテープのオス４２、メス４１などの調整器具４０が取り付けられている。また、上記襟カバー２０の幅ｗ１が調節可能となるよう当該襟カバー２０の入り口側２２かつ幅方向と平行にマジックテープのオス４２、メス４１などの調整器具４０が上記襟カバー２０上にさらに設けられている。
【００３２】
マジックテープのオス４２、メス４１などの調整器具４０が設けられることによって、布団１０のサイズに対し、襟カバー２０が大きい場合でもそれらのサイズの微調整を可能とすることができる。また、シングルサイズの１つ上のセミダブルサイズの襟カバーを用いても、布団１０及び襟カバー２０のずれを防止するとともに布団１０と襟カバー２０のサイズのさらなる微調整が可能となる。つまり、上記のように襟カバー２０の側面２１の幅を調整できることによって、ある程度の布団サイズの変動によっても、柔軟な襟カバーのサイズ選択が可能となる。
【００３３】
そして、上記スナップボタンを構成する当該スナップボタンのオス３１及びメス３２は、上記布団１０と上記襟カバー２０が留められるよう、当該布団１０と当該襟カバー２０のそれぞれに取り付けられる。例えば図３（Ａ）に示すように、スナップボタンのオス３１が襟カバー２０の入り口側２２かつ内側の上下に取り付けられている。
【００３４】
そして、図３（Ｂ）に示すように、襟カバー２０の内側に取り付けられたスナップボタンのオス３１に対応する位置に、布団１０上の表裏にスナップボタンのメス３２が取り付けられ、襟カバー２０と布団１０がスナップボタンによって留められ、それらのずれを防止している。
【００３５】
図３（Ａ）（Ｂ）に示すように、襟カバー２０にスナップボタンのオス３１を、布団１０にスナップボタンのメス３２を取り付けたが、逆でもよく、すなわち襟カバー２０にスナップボタンのメス３２を、布団１０にスナップボタンのオス３１を取り付けてもよい。
【００３６】
用いられるスナップボタンの留め具３０は、図３（Ａ）（Ｂ）には４個であるが、数を増やしてもよい。但し数を増やしすぎるとスナップボタンを全て留めるのに時間がかかり手間である。従って、個数は４〜８個が好ましく、４〜６個がさらに好ましい。
【００３７】
用いられるスナップボタンなどの留め具３０は、金属製、プラスチック製、ゴム製でも良い。肌への異物感を感じさせないためにも、プラスチックやゴム製が好ましい。
【００３８】
また、マジックテープのオス４２、メス４１などの調整器具４０は、１個（１セット）でも良いが、図３（Ａ）に示すように襟カバー２０の入り口側２０かつ長手方向の両端部のそれぞれに設けられていることが好ましい。このようにすれば、布団１０と襟カバー２０のサイズのさらなる微調整を可能とすることができる。
【００３９】
マジックテープのオス４２、メス４１などの調整器具４０の個数としては、図３（Ａ）では２個（２セット）であるが、２個（２セット）よりも個数を多くしても良い（メスとオスが１個ずつで１セットとする）。但し、調整器具４０の個数（セット数）を増やし過ぎると、異物感が大きくなり、寝心地に悪影響を与える。従って、個数は２個（２セット）までが好ましい。ここでの個数（セット数）は、後述する襟カバーの側面２１に設けられる調整器具４０の個数は含まれない。
【００４０】
さらにオスの長さＬ２が１〜３ｃｍ、前記メスの長さＬ１が５〜１６ｃｍとすることが好ましい。このようにすることで、上記の幅広い範囲で襟カバー２０の幅を調整できる。また、オスの長さＬ２が３ｃｍより長くなると、オスの素材形状ゆえに、肌に触れた時、不快感を与える場合がある。一方、オスの長さＬ２が１ｃｍより短くなると、テープ機能が低下する場合がある。ここでメスの長さＬ１がオスの長さＬ２よりも長いことが好ましい。それは、オスの長さＬ２が長いと、オスの表面の素材形状ゆえに、肌に触れた時、不快感を与える場合があるからである。
【００４１】
上記調整器具４０（４１、４２）は、さらに上記襟カバー２０の上記布団１０の側面１１に相当する位置２１に設けられていることが好ましい。つまり図３に示すように襟カバーの側面２１に設けられることが好ましい。このようにすれば、布団１０の厚みが変わっても、襟カバー２０の高さｔを布団の厚みに調整することができ、布団１０と襟カバー２０のさらなる微調整を可能とすることができる。
【００４２】
例えば、布団が厚いためシングル用の襟カバーではきつくて合わない場合でも、シングルサイズの１つ上のセミダブルサイズの襟カバーを用いても、布団１０及び襟カバー２０のずれを防止するとともに布団１０と襟カバー２０のサイズのさらなる微調整が可能となる。つまり、上記のように襟カバー２０の側面２１の幅を調整できることによって、ある程度の布団サイズの変動によっても、柔軟な襟カバーのサイズ選択がさらに容易に可能となる。
【００４３】
なお、上記襟カバー２０の上記布団１０の側面１１に相当する位置２１に設けられる調整器具４０（４１）の長さは上述した通り５〜１６ｃｍが好ましいが、メス４１の長さＬ１は、１〜３ｃｍ、３〜８ｃｍ、８〜１２ｃｍ、１２〜１６ｃｍとすることも可能である。一方で、メスの長さＬ１が長くなるにつれ、異物感は大きくなるので、さらに好ましくは、１２ｃｍ以下である。
【００４４】
襟カバー２０はコの字型や筒型でも良い。筒型は布団１０の側面１１も覆うことができるので、留め具３０が布団１０から外れにくいため、図３（Ａ）に示すような筒型の方が好ましい。
【００４５】
本発明の一実施形態に係る寝具に用いられる布団１０は、どんな種類でも適応可能で、羊毛布団、羽毛布団などが挙げられる。また、毛布でも適用可能である。さらに本発明の一実施形態に係る寝具に用いられる布団１０及び襟カバー２０は、シングル用、セミダブル、ダブル、クイーン、キングサイズに対応可能である。
【００４６】
襟カバー２０もどんな種類でも適応可能である。また、図１に示したように、襟カバーの入り口２２と反対側の両辺が空いているものでも良く、空いていないものでも良い。両辺が空いている方が、布団１０に襟カバー２０を容易に取り付けできるので好ましい。
【００４７】
襟カバー２０の幅ｗ１は、布団１０の幅ｗ２よりも５〜１０ｃｍ大きいことが好ましい。このようにすれば、布団１０と襟カバー２０のサイズが上記のように異なっても、それらの微調整を可能とすることができる。
【００４８】
以上より本発明の一実施形態に係る寝具によれば、布団と襟カバーのずれを防止するとともにそれらのサイズの微調整を可能とし、かつ寝心地の良い寝具を提供することができる。さらに、本発明の一実施形態に係る寝具は、家庭用の寝具に使用される他、介護用の寝具にも使用可能であり、襟カバーと布団のずれを防止しつつ、容易に取り付けができるので、被介護者の寝心地を向上させ、尚且つ、簡単に取り外しができ、寝具を清潔に保つ役割もある。例えば、介護で寝たきりの場合食べこぼしたりするので、被介護者の口付近の襟カバーは、特に汚れ、頻繁にシーツを交換する必要がある。そこで、本発明の一実施形態に係る寝具によれば、容易に取り付けができるので衛生的である。従って、被介護者は清潔を保つことができ、介護者の介護の負担を軽減できるので、被介護者及び介護者の両者にとってメリットがある。
【００４９】
なお、上記のように本考案の各実施形態及び各実施例について詳細に説明したが、本考案の新規事項及び効果から実体的に逸脱しない多くの変形が可能であることは、当業者には、容易に理解できるであろう。従って、このような変形例は、全て本考案の範囲に含まれるものとする。
【００５０】
例えば、明細書又は図面において、少なくとも一度、より広義又は同義な異なる用語と共に記載された用語は、明細書又は図面のいかなる箇所においても、その異なる用語に置き換えることができる。また、寝具の構成、動作も本考案の各実施形態及び各実施例で説明したものに限定されず、種々の変形実施が可能である。
【符号の説明】
【００５１】
１０  布団、１１  布団の側面、２０  襟カバー、２１  布団の側面に相当する位置（襟カバー側面）、２２  襟カバーの入り口側、３０  留め具、３１  スナップボタンのオス、３２  スナップボタンのメス、４０  調整器具、４１  メス、４２  オス、４２ｂ  メスの表面に接しない面、ｔ  襟カバーの高さ、ｗ１  襟カバーの幅、ｗ２  布団の幅、Ｌ１  メスの長さ、Ｌ２  オスの長さ、１００  寝具
【図１】
0003218157.tif 000003
【図２】
0003218157.tif 000004
【図３】
0003218157.tif 000005
【手続補正書】
【提出日】平成30年7月27日(2018.7.27)
【手続補正１】
【補正対象書類名】実用新案登録請求の範囲
【補正対象項目名】全文
【補正方法】変更
【補正の内容】
【実用新案登録請求の範囲】
【請求項１】
布団と、襟カバーと、該布団及び該襟カバーを留める１以上の留め具を備える寝具であって、
前記留め具は、スナップボタンであって、
前記スナップボタンを構成する該スナップボタンのオス及びメスは、前記布団と前記襟カバーが留められるよう、該布団と該襟カバーのそれぞれに取り付けられ、
前記襟カバーの幅が調節可能となるよう該襟カバーの入り口側かつ幅方向と平行に調整器具が前記襟カバー表面又は裏面上にさらに設けられていることを特徴とする寝具。
【請求項２】
前記調整器具は、オス及びメスからなる面ファスナーであり、
前記襟カバー表面又は裏面に設けられた前記オス及びメスの表面が外向きに取り付けられていることを特徴とする請求項１に記載の寝具。
【請求項３】
前記調整器具は、前記襟カバーの入り口側かつ長手方向の両端部のそれぞれに設けられていることを特徴とする請求項１又は２に記載の寝具。
【請求項４】
前記オスの長さが１〜３ｃｍ、前記メスの長さが５〜１６ｃｍであることを特徴とする請求項２又は３に記載の寝具。
【請求項５】
前記調整器具は、さらに前記襟カバーの前記布団の側面に相当する位置に設けられていることを特徴とする請求項１〜４の何れか１項に記載の寝具。
【請求項６】
前記襟カバーの幅は、前記布団の幅よりも５〜１０ｃｍ大きいことを特徴とする請求項１〜５の何れか１項に記載の寝具。
【手続補正２】
【補正対象書類名】明細書
【補正対象項目名】０００９
【補正方法】変更
【補正の内容】
【０００９】
このとき、本考案の一態様では、前記調整器具は、オス及びメスからなる面ファスナーであり、前記襟カバー表面又は裏面上に設けられた前記オス及びメスの表面が外向きに取り付けられているとしても良い。